(57)【要約】【課題】紙の品質を損なうことなく、正確に残長を検出する。【解決手段】ロール状の印画紙１６の巻き芯１６ａに連動して回動し、その円周に沿って所定のピッチで突起３１ａが形成された回転数検出円板３１と、突起３１ａに光を照射する発光素子３５ａ、および照射された光を受光する受光素子３５ｂからなり、受光素子の出力から回転数検出円板３１の回転数を検出するフォトセンサ３５とを設ける。ＣＰＵ部４０は、検出した回転数から求められる巻き芯１６ａの角速度ω、および印画紙１６の搬送速度υからロール径Ｒを求め、このロール径Ｒから印画紙１６の残長Ｌを算出する。【選択図】        図２
2004245999.tif 000002
【特許請求の範囲】
【請求項１】
巻き芯にロール状に巻かれた紙を収納したロール紙供給マガジンの紙の残長を検出するロール紙供給マガジンの残長検出装置において、
前記紙の搬送速度と、そのときの巻き芯の角速度とを検出し、これらに基づいて紙の残長を求めることを特徴とするロール紙供給マガジンの残長検出装置。
【請求項２】
前記紙の搬送速度の検出は、紙の引き出し速度が一定速度域に到達したときに行うことを特徴とする請求項１に記載のロール紙供給マガジンの残長検出装置。
【請求項３】
前記巻き芯に連動して回動し、巻き芯の角速度に対応したパルスを発生するパルスジェネレータを設け、前記パルスに基づいて巻き芯の角速度を求めることを特徴とする請求項２に記載のロール紙供給マガジンの残長検出装置。
【請求項４】
前記角速度をω、搬送速度をυ、ロール状に巻かれた紙の半径をＲ、巻き芯の半径をｒ、紙の厚さをｔとして、紙の残長Ｌを、
Ｒ＝υ／ω
Ｌ＝（Ｒ＋ｒ）（Ｒ−ｒ）π／ｔ
より求めることを特徴とする請求項１乃至３いずれか一つに記載のロール紙供給マガジンの残長検出装置。
【請求項５】
未使用のロール状に巻かれた紙を用いて前記残長Ｌを求め、この値を元に前記パルスと巻き芯の角速度との関係を校正することを特徴とする請求項１乃至４いずれか一つに記載のロール紙供給マガジンの残長検出装置。
【請求項６】
ロール紙供給マガジンから引き出された印画紙に、写真フイルムに露光された画像を焼き付ける写真焼き付け装置において、
請求項１乃至５いずれか一つに記載のロール紙供給マガジンの残長検出装置を備えたことを特徴とする写真焼き付け装置。
【発明の詳細な説明】
【０００１】
【発明の属する技術分野】
本発明は、巻き芯にロール状に巻かれた紙を収納したロール紙供給マガジンの紙の残長を検出する装置に関する。
【０００２】
【従来の技術】
マガジンから引き出された長尺の印画紙に、写真フイルムに露光された画像を焼き付ける写真焼き付け装置（プリンタプロセッサ）が知られている。このような写真焼き付け装置では、焼き付け途中に印画紙が不足して処理が中断されることを防止するために、印画紙の残長を検出し、この検出結果をモニタなどに表示して作業者に報知している。
【０００３】
従来の写真焼き付け装置では、各コマの焼き付け処理毎に印画紙の使用量から残長をカウントしていたため、焼き付け処理が終了するまで、マガジンの交換作業に備えて作業者が装置から離れることができないという問題があった。
【０００４】
上記の問題を解決するために、処理予定の写真フイルムに必要な印画紙の使用総量を予め算出しておき、この使用総量と印画紙の残長とを比較して、比較結果を作業者に報知する写真焼き付け装置が提案されている（特許文献１参照）。このような構成であると、焼き付け処理前に印画紙が不足するか否かが分かるので、従来のように作業者が装置の傍で待機している必要がなくなる。
【０００５】
【特許文献１】
特開平１１−３３８０６７号公報
【０００６】
【発明が解決しようとする課題】
ところで、ロール紙の残長を検出する方法としては、ロール紙の表面に直接プローブを接触させてロール径を測定するものや、ロール紙の引き出し量、巻き戻し量を常時測定し、この測定値を積算するものがある。しかしながら、前者の方法には、プローブとの接触により紙にキズが付くおそれがあり、そのうえロール径の測定精度が悪く、得られる残長が目安程度にしかならないという欠点があった。
【０００７】
一方、後者の方法は、複数種類のロール紙を選択して使用する場合、測定に必要なパラメータを全ての種類について記憶する必要がある。また、ロール紙を収納する専用のマガジンを用いた場合には、装置からマガジンを取り外した後に使用途中のロール紙を新品と取り替えたり、他の装置で使用したマガジンを転用する、あるいは使用途中のロール紙と取り替えるなどをすると、正確な残長を検出することができないという問題があった。
【０００８】
本発明は、紙の品質を損なうことなく、正確に残長を検出することができるロール紙供給マガジンの残長検出装置、およびこれを用いた写真焼き付け装置を提供することを目的とする。
【０００９】
【課題を解決するための手段】
上記目的を達成するために、本発明は、巻き芯にロール状に巻かれた紙を収納したロール紙供給マガジンの紙の残長を検出するロール紙供給マガジンの残長検出装置において、前記紙の搬送速度と、そのときの巻き芯の角速度とを検出し、これらに基づいて紙の残長を求めることを特徴とする。
【００１０】
なお、前記紙の搬送速度の検出は、紙の引き出し速度が一定速度域に到達したときに行うことが好ましい。また、前記巻き芯に連動して回動し、巻き芯の角速度に対応したパルスを発生するパルスジェネレータを設け、前記パルスに基づいて巻き芯の角速度を求めることが好ましい。
【００１１】
また、前記角速度をω、搬送速度をυ、ロール状に巻かれた紙の半径をＲ、巻き芯の半径をｒ、紙の厚さをｔとして、紙の残長Ｌを、Ｒ＝υ／ω、Ｌ＝（Ｒ＋ｒ）（Ｒ−ｒ）π／ｔより求める。さらに、未使用のロール状に巻かれた紙を用いて前記残長Ｌを求め、この値を元に前記パルスと巻き芯の角速度との関係を校正することが好ましい。
【００１２】
また、本発明は、ロール紙供給マガジンから引き出された印画紙に、写真フイルムに露光された画像を焼き付ける写真焼き付け装置において、請求項１乃至５いずれか一つに記載のロール紙供給マガジンの残長検出装置を備えたことを特徴とする。
【００１３】
【発明の実施の形態】
図１において、本発明を適用したプリンタプロセッサ２は、マガジン１０、露光部１１、現像処理部１２、乾燥部１３、カッタ部１４、およびソータ部１５から構成される。マガジン１０にセットされたロール状の印画紙１６は、１点鎖線で示す搬送経路１７に沿って露光部１１に向けて搬送される。露光部１１では、写真フイルムに露光された画像が印画紙１６に記録される。
【００１４】
露光済みの印画紙１６は、現像処理部１２にて現像、漂白定着、および水洗処理され、乾燥部１３で乾燥される。乾燥後の印画紙１６は、カッタ部１４によりプリントサイズに応じてカットされ、ソータ部１５によりプリント注文毎に仕分けされ、排紙トレイ１８に排紙される。
【００１５】
図２および図３に示すように、ロール状の印画紙１６は、一対のフランジ２０とスプール２１とにより保持され、マガジン１０の軸受け部２２にスプール２１の両端を嵌め込むことで、マガジン１０内に収納される。印画紙１６の巻き芯１６ａには、スプール２１が挿通され、印画紙１６の回転中心がずれないように支持している。印画紙１６には、プリントサイズに合わせて幅の異なるものが複数種類用いられる。フランジ２０は、使用する印画紙１６の幅に合うように、スプール２１の任意の位置への取り付けが可能となっている。
【００１６】
マガジン１０は、把手２３が設けられた蓋体１０ａと、プリンタプロセッサ２に嵌め込まれる本体１０ｂとからなる。蓋体１０ａは、本体１０ｂに開閉自在に取り付けられており、印画紙１６を交換する際に操作される。この蓋体１０ａは、バックルなどにより本体１０ｂに係止され、これによりマガジン１０内が確実に遮光される。
【００１７】
本体１０ｂの側面には、後述する第４歯車２８ｄを保護する歯車カバー２４が取り付けられている。また、本体１０ｂの前面（プリンタプロセッサ２と対向する面）には、印画紙１６の給紙口２５が形成されている。給紙口２５の近傍には、ガイドローラ２６とフィードローラ対２７とが設けられている。なお、給紙口２５には、図示しないシャッタが設けられており、マガジン１０の非使用時には、このシャッタにより給紙口２５が閉じられ、マガジン１０内が遮光される。
【００１８】
ガイドローラ２６は、印画紙１６を給紙口２５へと案内する。フィードローラ対２７は、図示しない搬送モータにより回転駆動される下側ローラ２７ａと、この下側ローラ２７ａに圧接して印画紙１６を挟持する上側ローラ２７ｂとからなり、印画紙１６を露光部１１に向けて搬送する。上側ローラ２７ｂは、下側ローラ２７ａに圧接して印画紙１６を挟持する搬送位置と、下側ローラ２７ａとの印画紙１６の挟持を解除する退避位置とで移動自在となっており、印画紙１６の巻き戻し時には退避位置に移動する。
【００１９】
スプール２１の一端には、第１歯車２８ａが設けられている。この第１歯車２８ａは、本体１０ｂの内部に設けられた第２歯車２８ｂに噛合している。また、第２歯車２８ｂは、第３歯車２８ｃに噛合している。第３歯車２８ｃは、連結軸２９を介して、本体１０ｂの外側に配置された第４歯車２８ｄと連結している。
【００２０】
第４歯車２８ｄは、前述のように歯車カバー２４により保護され、歯車カバー２４に形成された開口２４ａからその一部が露呈している。第４歯車２８ｄは、この開口２４ａを介して、プリンタプロセッサ２の内部に設けられた第５歯車２８ｅに噛合している。第５歯車２８ｅは、連結軸３０を介して回転数検出円板３１と連結している。
【００２１】
第５歯車２８ｅには、電磁クラッチ３２が接続されている。電磁クラッチ３２は、第６歯車２８ｆおよび第７歯車２８ｇを介してリワインド用モータ３３に接続されている。印画紙１６の送り出し時には、電磁クラッチ３２がオフされ、リワインド用モータ３３の駆動力は第５歯車２８ｅに伝達されない。一方、印画紙１６の巻き戻し時には、電磁クラッチ３２がオンされ、リワインド用モータ３３の駆動力は第５歯車２８ｅに伝達される。これによりスプール２１が逆転して、印画紙１６がマガジン１０内に巻き戻される。ここで、第１〜第７歯車２８ａ〜２８ｇ、回転数検出円板３１、および電磁クラッチ３２により、リワインド用モータ３３の駆動力をスプール２１に伝達する駆動機構３４が構成されている。なお、電磁クラッチ３２の代わりに、遊星ギヤ機構からなる遊星クラッチを用いてもよい。
【００２２】
回転数検出円板３１の一端には、フォトセンサ３５が配置されている。このフォトセンサ３５は、回転数検出円板３１の円周に沿って所定のピッチで形成された突起３１ａに光を照射する発光素子３５ａと、突起３１ａが形成されていない部分を通過する光を受光する受光素子３５ｂとからなり、電磁クラッチ３２のオン／オフに関わらずスプール２１の回動と連動して回動する回転数検出円板３１の回転数を検出し、この検出結果から巻き芯１６ａの回転数を求める。これら回転数検出円板３１とフォトセンサ３５とにより、パルスジェネレータが構成される。なお、回転数検出円板３１は、スプール２１の回動と連動して回動すればよく、必ずしも駆動機構３４に配置しなくてもよい。
【００２３】
図４に示すように、受光素子３５ｂの出力は、突起３１ａが形成されていない部分が通過した場合はＨｉ、突起３１ａにより光が遮光された場合はＬｏとなる。フォトセンサ３５は、フィードローラ対２７により送り出される印画紙１６の搬送速度が、速度υで安定している間、すなわち時間Ｔ１〜Ｔ２の間の出力を検出する。この検出結果は、プリンタプロセッサ２の全体を統括制御するＣＰＵ部４０（図５参照）に送信される。なお、時間Ｔ１およびＴ２は、巻き芯１６ａの回転数を確実に算出するために必要な時間に設定すればよく、プリンタプロセッサ２の仕様に応じて適宜変更可能である。
【００２４】
図５において、ＣＰＵ部４０には、前述のフィードローラ対２７、フォトセンサ３５の他に、操作部４１、マガジン着脱検出部４２、マガジンＩＤ検出部４３、および表示部４４が接続されている。操作部４１には、印画紙１６の残長を確認する残長確認キーが設けられている。作業者はこの残長確認キーをオンすることで、表示部４４に表示される印画紙１６の残長を確認することができる。マガジン着脱検出部４２は、マガジン１０とプリンタプロセッサ２との接触部分に配置されており、マガジン１０の着脱を検出して、その検出結果をＣＰＵ部４０に送信する。マガジンＩＤ検出部４３は、マガジン１０の装着時、マガジン１０固有のＩＤ情報を読み取り、ＣＰＵ部４０に送信する。なお、マガジン着脱検出部４２とマガジンＩＤ検出部４３とは、一体で構成してもよい。
【００２５】
残長確認キーがオンされ、印画紙１６が搬送されると、フォトセンサ３５により図４に示すような波形が検出され、時間Ｔ１〜Ｔ２の間の検出結果がＣＰＵ部４０に送信される。ＣＰＵ部４０では、送信された検出結果に基づいて巻き芯１６ａの角速度ωを求め（検出した巻き芯１６ａの回転数をｆとすると、ω＝２πｆにより求まる）、これを元に印画紙１６の半径Ｒを算出する。ここで、フィードローラ対２７による印画紙１６の搬送速度υは既知であるので、υ＝ωＲよりＲ＝υ／ωとして求められる。なお、Ｔ０〜Ｔ１までの時間は、例えば５０ｍｓで、Ｔ０〜Ｔ３までの時間は１００ｍｓ〜１ｓであるため、迅速に印画紙の残長を求めることができる。
【００２６】
そして、印画紙１６の長さＬ（＝印画紙１６の残長）を次式により算出する。
Ｌ＝（Ｒ＋ｒ）（Ｒ−ｒ）π／ｔ
（但し、ｒ：巻き芯１６ａの半径、ｔ：印画紙１６の厚さ、図６参照）
ＣＰＵ部４０は、この算出した印画紙１６の残長Ｌを表示部４４に表示する。
【００２７】
プリンタプロセッサ２では、使用する印画紙１６に応じて、残長算出に用いる印画紙１６の厚さを表すパラメータｔの値を設定し直す。すなわち、ＣＰＵ部４０に内蔵された図示しないメモリに、印画紙１６の種類毎に対応するｔの値を予め記憶させておき、マガジン１０のＩＤ情報をマガジンＩＤ検出部４３で読み出す際に、操作部４１から印画紙の種類も合わせて入力する。ＣＰＵ部４０では、入力された印画紙の種類に応じたｔの値をメモリから読み出し、この読み出したｔを用いて印画紙１６の残長Ｌを算出する。
【００２８】
次に、上記実施形態による作用について、図７のフローチャートを参照して説明する。まず、操作部４１の残長確認キーをオンして、印画紙１６の残長の確認をＣＰＵ部４０に指示する。このとき、フィードローラ対２７が回転しておらず、且つマガジン着脱検出部４２でマガジン１０の取り外しが検出されなかった場合は、表示部４４には前回の残長が表示される。一方、マガジン着脱検出部４２でマガジン１０の取り外しが検出された場合は、表示部４４には何も表示されない。
【００２９】
フィードローラ対２７が回転して、且つスプール２１が回転していない場合（フォトセンサ３５で図４に示す波形が検出されなかった場合）は、表示部４４には、印画紙１６がないことを示す０が表示される。一方、スプール２１が回転している場合は、フォトセンサ３５からの検出結果に基づいてＣＰＵ部４０で残長Ｌが算出され、この算出された残長Ｌが表示部４４に表示される。このような構成であると、非接触で印画紙１６の残長を検出することができ、マガジン１０の種類やセットする印画紙１６の状態に依らず、常に正確な残長の検出が可能となる。
【００３０】
上記実施形態では、操作部４１に残長確認キーを設け、これがオンされたときのみ残長を算出するようにしたが、残長確認キーを設けずに常時残長の検出を行い、表示部４４に表示するようにしてもよい。
【００３１】
なお、ＣＰＵ部４０による残長の検出精度をさらに向上させるために、未使用の印画紙１６をマガジン１０にセットして、ＣＰＵ部４０内の残長算出に用いるパラメータを校正することが好ましい。この場合、印画紙１６の正確な全長が分かっているので、印画紙１６の先端を最初に送り出したときに残長検出を行い、このときの残長を印画紙１６の規定長にして、例えばパルス数と角速度ωとの関係を校正する。また、新型の印画紙１６を初めて使用する際には、未使用の印画紙１６を用いて校正を行い、これを元に印画紙１６の厚さｔの値を決定することが好ましい。この場合、高精度な校正を行うために、巻き芯１６ａの半径ｒの実測値を入力しておき、これを用いて印画紙の残長Ｌを算出する。
【００３２】
上記実施形態では、プリンタプロセッサ２に用いられる印画紙１６の残長を算出する例を挙げたが、巻き芯に紙がロール状に巻かれたロール紙であればよく、マガジンに収納されていないものについても本発明は適用可能である。また、上記実施形態では、残長検出を行うＣＰＵ部４０をプリンタプロセッサ２内に設けたが、マガジン１０自体に残長を検出する装置を内蔵させてもよい。この場合、印画紙１６の搬送速度υと巻き芯１６ａの角速度ωとに基づいて、マガジン１０単体で印画紙１６の残長Ｌを検出する。
【００３３】
上記実施形態では、印画紙１６を送り出す際に残長検出を行っているが、逆に印画紙１６を巻き戻す際に行ってもよい。また、上記実施形態では、印画紙を例に挙げて説明したが、この他に巻き軸に巻き取られた帯状材の残長検出に本発明を適用してもよい。さらに、巻き軸に巻き取られた帯状材の巻き取り量検出に用いてもよい。この場合、巻き取り時の帯状材の搬送速度と、そのときの巻き軸の角速度とに基づいて、巻き取り長Ｌを上記式から求めることができる。
【００３４】
なお、上記実施形態では、残長Ｌを巻き芯１６ａに巻かれた部分としているが、図６に示すように、フィードローラ対２７からガイドローラ２６を経て、印画紙１６の外周までの長さＬ１を加算したものを残長Ｌとしてもよい。
【００３５】
【発明の効果】
以上のように、本発明のロール紙供給マガジンの残長検出装置および写真焼き付け装置によれば、紙の搬送速度と、そのときの巻き芯の角速度とを検出し、これらに基づいて紙の残長を求めるので、紙の品質を損なうことなく、正確に残長を検出することができる。また、一つのマガジンを複数の装置で使い回しした場合も同様に、正確な残長を検出することができる。
【図面の簡単な説明】
【図１】本発明を適用したプリンタプロセッサの概略図である。
【図２】マガジンの構成を示す断面図である。
【図３】マガジンの構成を示す断面図である。
【図４】フォトセンサの出力波形を示す図である。
【図５】プリンタプロセッサの電気的構成を示すブロック図である。
【図６】印画紙の残長を算出するためのパラメータを示す説明図である。
【図７】残長検出の処理の流れを示すフローチャートである。
【符号の説明】
２  プリンタプロセッサ
１０  マガジン
１６  印画紙
１６ａ  巻き芯
２０  フランジ
２１  スプール
２５  給紙口
２６  ガイドローラ
２７  フィードローラ対
２８ａ〜２８ｇ  第１〜第７歯車
３１  回転数検出円板
３２  電磁クラッチ
３５  フォトセンサ
３５ａ  発光素子
３５ｂ  受光素子
４０  ＣＰＵ部
４３  マガジンＩＤ検出部
４４  表示部
【図１】
2004245999.tif 000003
【図２】
2004245999.tif 000004
【図３】
2004245999.tif 000005
【図４】
2004245999.tif 000006
【図５】
2004245999.tif 000007
【図６】
2004245999.tif 000008
【図７】
2004245999.tif 000009